(57)【要約】      （修正有）【課題】ベッドのマットや敷布団の上などにも簡易に設置可能であり、リクライニング機能を低コストで提供することができるとともに、体の不自由な被介護者などの利用者の床ずれの発生防止やその改善効果を得ることができ、長時間臥床している時でも、被介護者の体の向きを変えるといった作業頻度を減らすことができる背もたれ器具を提供する。【解決手段】床面上に設置される基体１０と、基体１０の前方部において連結部材を介して起倒自在に連結された背もたれ部２０と、背もたれ部２０を基体１０に対して傾斜させた状態で支持するための背もたれ支持機構３１とを備え、背もたれ部２０の身体支持面における所定箇所に、身体の特定部位に対する圧迫を抑止するための圧迫抑止部２５が形成されている。【選択図】図１
0003134689.tif 000002
【実用新案登録請求の範囲】
【請求項１】
床面上に設置される基体と、
該基体の前方部において連結部材を介して起倒自在に連結された背もたれ部と、
該背もたれ部を前記基体に対して傾斜させた状態で支持するための背もたれ支持機構と
を備え、
前記背もたれ部の身体支持面における所定箇所に、身体の特定部位に対する圧迫を抑止
するための圧迫抑止部が形成されていることを特徴とする背もたれ器具。
【請求項２】
前記背もたれ部の圧迫抑止部が、身体の背骨部分、肩甲骨部分、及び腰骨部分が当接す
る領域のうちの少なくともいずれかに形成されていることを特徴とする請求項１記載の背
もたれ器具。
【請求項３】
前記背もたれ部の圧迫抑止部が、前記背もたれ部の身体支持面を陥没させた形態、又は
くり抜いた形態で形成されていることを特徴とする請求項１又は請求項２記載の背もたれ
器具。
【請求項４】
前記基体が、略矩形形状をした枠部材で構成され、
該枠部材の前方側一辺と、前記背もたれ部の底辺部とが、前記連結部材を介して起倒自
在に連結され、
前記背もたれ部の身体支持面前方を囲うとともに、前記枠部材に着脱可能に構成された
身体倒れ防止枠をさらに含んで構成されていることを特徴とする請求項１〜３のいずれか
の項に記載の背もたれ器具。
【請求項５】
前記枠部材における床面との当接面に滑り止め部材が配設されていることを特徴とする
請求項４記載の背もたれ器具。
【請求項６】
前記身体倒れ防止枠が、
前記背もたれ部の両側部に配置され、２本の脚部を備えた略コの字形状をした１組の側
枠部材と、
該１組の側枠部材が折畳可能に連結されたテーブル兼用の板部材とを含んで構成され、
前記各側枠部材の一方の脚部の下端部が、前記枠部材の両側辺に形成された孔に嵌込ま
れるように構成されていることを特徴とする請求項４又は請求項５記載の背もたれ器具。
【請求項７】
前記支持機構が、
前記背もたれ部の両側部に回動自在に取り付けられた略コの字形状をした背もたれ支持
枠の先端部が、前記枠部材に形成された係止部に係止されて、前記背もたれ部を前記基体
に対して傾斜させた状態で支持するものであることを特徴とする請求項４〜６のいずれか
の項に記載の背もたれ器具。
【請求項８】
前記背もたれ部が、前記基体に対して着脱可能に連結されていることを特徴とする請求
項１〜７のいずれかの項に記載の背もたれ器具。
【請求項９】
前記背もたれ部が、使用者の頭部まで支えることが可能な高さに設定されていることを
特徴とする請求項１〜８のいずれかの項に記載の背もたれ器具。
【請求項１０】
前記背もたれ部が、
使用者の背部を支える背部支持部と、使用者の頭部を支える頭部支持部とで構成され、
該頭部支持部が、前記背部支持部に対して着脱、及び／又は高さ調整可能に取り付けられ
るものであることを特徴とする請求項９記載の背もたれ器具。
【請求項１１】
前記頭部支持部に、音響映像装置からの音声を出力するための音声出力手段が設けられ
ていることを特徴とする請求項１０記載の背もたれ器具。
【請求項１２】
前記背部支持部に、使用者の背部を暖めるための加熱手段が設けられていることを特徴
とする請求項１０又は請求項１１記載の背もたれ器具。
【考案の詳細な説明】
【技術分野】
【０００１】
本考案は背もたれ器具に関し、より詳細には、使用者の上半身部を床面から起こした姿
勢で維持するための背もたれ器具に関する。
【背景技術】
【０００２】
体の不自由な寝たきりの人などを介護する場合、例えば、食事などをさせるときには、
介護者が病人の上半身を起こして抱きかかえて椅子に坐らせているが、介護者、特に女性
やお年寄りにとって、この作業は大変な重労働であるため、従来より、介護者が楽に被介
護者を坐らせることができるようにするための器具の提案がなされていた。
【０００３】
例えば、下記の特許文献１には、介護人が、楽に病人などの被介護者を安定した状態で
上半身を起こして座らせるための背もたれ器具が提案されている。図７は、特許文献１に
記載された背もたれ器具を模式的に示した背面側斜視図であり、図８は、その使用状態を
模式的に示した側面図である。
【０００４】
背もたれ器具５０は、下面に滑り止めマット５１が貼設され、上面の一辺に丁番受け桟
５２が取り付けられると共に、丁番受け桟５２に対して略垂直に所定間隔を設けて２本の
支柱受け桟５３が取り付けられた略矩形の底板５４と、丁番受け桟５２に丁番５５を介し
て連結された略矩形の立て板５６と、両端部が立て板５６の背面に回動自在に軸支され、
底辺部が支柱受け桟５３に係止可能に形成されたコの字形支柱５７とを含んで構成されて
いる。
【０００５】
このような背もたれ器具５０によれば、椅子等に介護人が病人を抱えて座らせるのでは
なく、介護人が病人の上半身を起こして、背中に、この背もたれ器具５０を置くだけで、
安定して座らせることができ、介護人の労力を軽減させることができるとしている。
【０００６】
しかしながら、特許文献１に開示された背もたれ器具５０は、利用者の上半身部を支え
る立て板５６が肩の下までしかなく（図８参照）、椅子の代わりに一時的に利用すること
を想定して発案されたものであり、ベッドのリクライニング機能の代用として用いること
は想定されていない。そのため、頭部を安定した状態で支えることが出来ないため、頭部
を自力で支えることが難しい被介護者に使用することは出来ないという問題があった。
【０００７】
また、背もたれ器具５０の立て板５６は、平板で構成されているため、使用者の背骨、
肩甲骨の部分や腰骨の部分に圧力が集中しやすく、自力で体を動かすことが難しい寝たき
りの被介護者に対して使用した場合、骨の突出した部位の皮膚に床ずれ（褥瘡）が発生す
ることも考えられ、また、長時間使用する場合には、床ずれが発生しないように、体の向
きを度々変えなければならず、依然として介護者の負担が大きいという問題があった。
【０００８】
また、上記した従来の背もたれ器具５０では、図８に示しているように、腰バンド５８
で器具と人とを留める構成となっているが、体の不安定な人に使用した場合、腰バンド５
８では、立て板５６の横からずり落ちる虞があり、使用者の横倒れを防止するまでの効果
は得られなかった。
【０００９】
また、従来よりリクライニング機能を備えたベッドもあるが、高価であるため、気軽に
購入することが難しく、また、大型であるため不要になった場合の収納場所等にも困ると
いう問題があった。
【００１０】
また、リクライニング機能を備えたベッドであっても、マットの上面は略平坦であるた
め、自力で動くことが難しい寝たきりの被介護者を寝かしている場合、体（特に骨があた
る皮膚の面）に床ずれが発生しないように、体の向きを昼夜を問わず度々変えなければな
らず、介護者の負担となっていた。
【特許文献１】特開平９−２４８３２１号公報
【考案の開示】
【課題を解決するための手段及びその効果】
【００１１】
本考案は上記課題に鑑みなされたものであって、ベッドのマットや敷布団の上などにも
簡易に設置可能であり、リクライニング機能を低コストで提供することができるとともに
、体の不自由な被介護者などの使用者の床ずれの発生防止やその改善効果を得ることがで
き、長時間臥床している時でも、被介護者の体の向きを変えるといった作業頻度を減らす
ことができ、また、使用者の上半身を起こした状態からの横倒れなどの防止効果を高める
ことができ、また、聴力が低下した人の使用や寒い時期での使用にも配慮がなされた背も
たれ器具を提供することを目的としている。
【００１２】
すなわち本考案に係る背もたれ器具（１）は、床面上に設置される基体と、該基体の前
方部において連結部材を介して起倒自在に連結された背もたれ部と、該背もたれ部を前記
基体に対して傾斜させた状態で支持するための背もたれ支持機構とを備え、前記背もたれ
部の身体支持面における所定箇所に、身体の特定部位に対する圧迫を抑止するための圧迫
抑止部が形成されていることを特徴としている。
【００１３】
上記背もたれ器具（１）によれば、床面上に設置される基体と、該基体の前方部におい
て連結部材を介して起倒自在に連結された背もたれ部と、該背もたれ部を前記基体に対し
て傾斜させた状態で支持するための背もたれ支持機構とを備えているので、ベッドや敷布
団の上などに横臥している人の上半身だけを起こして、背中に、背もたれ部をあてて配置
するだけで、安価な構成でリクライニング機能を提供することができ、また、基体と背も
たれ部とが起倒自在に連結されているので、コンパクトに折畳むことができ、収納性にも
優れている。
【００１４】
また、前記背もたれ部の身体支持面における所定箇所に、身体の特定部位に対する圧迫
を抑止するための圧迫抑止部が形成されているので、例えば、自力で動くことが難しい体
の不自由な被介護者などに利用した場合、前記圧迫抑止部により、前記背もたれ部の身体
支持面と、横臥させた状態の身体の特定部位との接触による圧迫を抑止することができ、
前記身体の特定部位における床ずれの発生を防止することができ、また、既に発生してい
る床ずれ症状を改善する効果も得ることができる。したがって、長時間使用した場合であ
っても、床ずれ対策として従来から行われている被介護者の体の向きを頻繁に変えるとい
った作業の頻度を大幅に減らすことができ、介護者の労力負担を大幅に軽減させることが
できる。
【００１５】
また本考案に係る背もたれ器具（２）は、上記背もたれ器具（１）において、前記背も
たれ部の圧迫抑止部が、身体の背骨部分、肩甲骨部分、及び腰骨部分が当接する領域のう
ちの少なくともいずれかに形成されていることを特徴としている。
【００１６】
上記背もたれ器具（２）によれば、前記背もたれ部の圧迫抑止部が、身体の背骨部分（
すなわち、脊柱に沿った部分）、肩甲骨部分、及び腰骨部分（腸骨や仙骨の周辺部分）、
が当接する領域のうちの少なくともいずれかに形成されているので、床ずれの好発部位で
ある身体の背骨部分、肩甲骨部分、腰骨部分における圧迫を抑止する効果を高めることが
でき、床ずれの発生防止や症状改善の効果を高めることができる。                    
【００１７】
また本考案に係る背もたれ器具（３）は、上記背もたれ器具（１）又は（２）において
、前記背もたれ部の圧迫抑止部が、前記背もたれ部の身体支持面を陥没させた形態、又は
くり抜いた形態で形成されていることを特徴としている。
【００１８】
上記背もたれ器具（３）によれば、前記背もたれ部の圧迫抑止部が、前記背もたれ部の
身体支持面を陥没させた形態、又はくり抜いた形態で形成されているので、前記背もたれ
部の圧迫抑止部において、前記身体の特定部位との接触を防止することができ、圧迫を極
力なくすことにより、床ずれの発生防止や症状改善の効果を一層高めることができる。
【００１９】
また本考案に係る背もたれ器具（４）は、上記背もたれ器具（１）〜（３）のいずれか
において、前記基体が、略矩形形状をした枠部材で構成され、該枠部材の前方側一辺と、
前記背もたれ部の底辺部とが、前記連結部材を介して起倒自在に連結され、前記背もたれ
部の身体支持面前方を囲うとともに、前記枠部材に着脱可能に構成された身体倒れ防止枠
をさらに含んで構成されていることを特徴としている。
【００２０】
上記背もたれ器具（４）によれば、前記基体が、略矩形形状をした枠部材で構成され、
該枠部材の前方側一辺と、前記背もたれ部の底辺部とが、前記連結部材を介して起倒自在
に連結されているので、器具の軽量化を図ることができる。また、前記背もたれ部の身体
支持面前方を囲うとともに、前記枠部材に着脱可能に構成された身体倒れ防止枠を備えて
いるので、該身体倒れ防止枠を装着して使用することにより、使用者の上半身が前方や側
方へ倒れてしまうことを防止する効果を高めることができ、特に、体の不自由な被介護者
に対して使用する際の安全性を高めることができる。また、必要がない時は、前記身体倒
れ防止枠を外して使用することもでき、使い勝手が優れている。
【００２１】
また本考案に係る背もたれ器具（５）は、上記背もたれ器具（４）において、前記枠部
材における床面との当接面に滑り止め部材が配設されていることを特徴としている。
上記背もたれ器具（５）によれば、前記枠部材における床面との当接面に滑り止め部材
が配設されているので、使用者が前記背もたれ部にもたれかかった場合に、器具が後方に
滑ることを防止することができ、使用時の位置安定性を高めることができる。
【００２２】
また本考案に係る背もたれ器具（６）は、上記背もたれ器具（４）又は（５）において
、前記身体倒れ防止枠が、前記背もたれ部の両側部に配置され、２本の脚部を備えた略コ
の字形状をした１組の側枠部材と、該１組の側枠部材が折畳可能に連結されたテーブル兼
用の板部材とを含んで構成され、前記各側枠部材の一方の脚部の下端部が、前記枠部材の
両側辺に形成された孔に嵌込まれるように構成されていることを特徴としている。
【００２３】
上記背もたれ器具（６）によれば、前記身体倒れ防止枠が、２本の脚部を備えた略コの
字形状をした１組の側枠部材と、該１組の側枠部材が折畳可能に連結されたテーブル兼用
の板部材とを含んで構成されているので、前記１組の側枠部材により、前記背もたれ部か
ら使用者が横に倒れることを防止することができ、また、前記テーブル兼用の板部材によ
り、使用者が前に倒れること防止することができる。また、前記板部材をテーブルとして
利用することもできる。
また、前記各側枠部材の一方の脚部の下端部が、前記枠部材の両側辺に形成された孔に
嵌込まれるように構成されているので、簡単かつ確実に前記身体倒れ防止枠を前記枠部材
に取り付けることができる。また、前記身体倒れ防止枠は、前記１組の側枠部材が、前記
テーブル兼用の板部材に対して折畳める構成となっているので、かさばることなく収納す
ることもできる。
【００２４】
また本考案に係る背もたれ器具（７）は、上記背もたれ器具（４）〜（６）のいずれか
において、前記支持機構が、前記背もたれ部の両側部に回動自在に取り付けられた略コの
字形状をした背もたれ支持枠の先端部が、前記枠部材に形成された係止部に係止されて、
前記背もたれ部を前記基体に対して傾斜させた状態で支持するものであることを特徴とし
ている。
上記背もたれ器具（７）によれば、簡単な構成でかつ確実に、前記背もたれ部を前記枠
部材に対して傾斜させた状態で支持することができ、また、前記背もたれ部の傾きの調整
も簡単に行うことができる。
【００２５】
また本考案に係る背もたれ器具（８）は、上記背もたれ器具（１）〜（７）のいずれか
において、前記背もたれ部が、前記基体に対して着脱可能に連結されていることを特徴と
している。
上記背もたれ器具（８）によれば、前記背もたれ部が、前記基体に対して着脱可能に連
結されているので、必要に応じて、前記背もたれ部を、前記基体から取り外すことができ
、前記基体から取り外した前記背もたれ部を、例えば、リクライニングさせたベッドなど
の上に載せた状態で利用することができ、前記背もたれ部が備えている床ずれ発生防止・
症状改善機能をリクライニングベッドなどでも手軽に実現させることができ、使用用途を
広げることができる。
【００２６】
また本考案に係る背もたれ器具（９）は、上記背もたれ器具（１）〜（８）のいずれか
において、前記背もたれ部が、使用者の頭部まで支えることが可能な高さに設定されてい
ることを特徴としている。
上記背もたれ器具（９）によれば、前記背もたれ部が、使用者の頭部まで支えることが
可能な高さに設定されているので、頭部を自力で支えることが難しい被介護者が利用する
場合であっても、被介護者の頭部までしっかりと安定した状態で支持することができる。
また、リクライニングさせた状態で頭部を支持することができ、使用者の快適度を高める
ことができる。
【００２７】
また本考案に係る背もたれ器具（１０）は、上記背もたれ器具（９）において、前記背
もたれ部が、使用者の背部を支える背部支持部と、使用者の頭部を支える頭部支持部とで
構成され、該頭部支持部が、前記背部支持部に対して着脱、及び／又は高さ調整可能に取
り付けられるものであることを特徴としている。
上記背もたれ器具（１０）によれば、前記背もたれ部が、使用者の背部を支える背部支
持部と、使用者の頭部を支える頭部支持部とで構成され、該頭部支持部が、前記背部支持
部に対して着脱、及び／又は高さ調整可能に取り付けられているので、使用者の体格に合
わせて前記頭部支持部の高さ位置を調整することができ、また、前記頭部支持部の必要が
ないときは、該頭部支持部を外して使用することもできる。
【００２８】
また本考案に係る背もたれ器具（１１）は、上記背もたれ器具（１０）において、前記
頭部支持部に、音響映像装置からの音声を出力するための音声出力手段が設けられている
ことを特徴としている。
上記背もたれ器具（１１）によれば、前記頭部支持部に、音響映像装置からの音声を出
力するための音声出力手段が設けられているので、前記音響映像装置からの音声を聞き取
り易くすることができ、聴力が低下した人も快適に使用することができる。前記音声出力
手段としては、小型のスピーカ装置など適用することができ、該小型のスピーカ装置を前
記頭部支持部に内蔵させた構成などが好ましい。
【００２９】
また本考案に係る背もたれ器具（１２）は、上記背もたれ器具（１０）又は（１１）に
おいて、前記背部支持部に、使用者の背部を暖めるための加熱手段が設けられていること
を特徴としている。
上記背もたれ器具（１２）によれば、前記背部支持部に、使用者の背部を暖めるための
加熱手段が設けられているので、寒い時期でも快適に使用することができる。前記加熱手
段としては、電気毛布などに採用されている電熱線式のヒーターなどを用い、前記背部支
持部の内部に配設して機能させることができる。
【考案を実施するための最良の形態】
【００３０】
以下、本考案に係る背もたれ器具の実施の形態を図面に基づいて説明する。図１〜図３
は、実施の形態に係る背もたれ器具を模式的に示した図であり、図１は正面側斜視図、図
２は正面斜視図、図３は背面斜視図である。
【００３１】
背もたれ器具１は、床面上に設置される基体１０と、基体１０の前方部において連結部
材１５を介して起倒自在に連結された背もたれ部２０と、背もたれ部２０を基体１０に対
して傾斜させた状態で支持するための背もたれ支持機構３０と、背もたれ部２０の前方を
囲う形態で配設された身体倒れ防止枠４０とを含んで構成されている。
【００３２】
基体１０は、略矩形形状をした枠部材１１で構成され、枠部材１１の底面には、ゴム素
材を用いた滑り止め部材１２が貼設されており、使用者が背もたれ部２０にもたれかかっ
た時に、枠部材１１が後方に位置ずれしにくい構成となっている。また、枠部材１１の前
方側一辺は、連結部材１５（図３参照）を介して、背もたれ部２０の底辺部と連結されて
おり、背もたれ部２０が、枠部材１１に対して起倒自在に連結されている。ここでは、連
結部材１５として、開閉式の丁番が使用されているが、他の形式の連結部品を使用しても
よい。
【００３３】
背もたれ支持機構３０は、背もたれ部２０の両側部に回動自在に軸支された略コの字形
状をした背もたれ支持枠３１を含んで構成されており、背もたれ支持枠３１の先端角部が
、枠部材１１の両側辺に所定間隔ごとに形成された逆三角形状をした係止部１３に係止可
能な構成となっている。背もたれ支持枠３１の先端角部を、枠部材１１の両側辺に形成さ
れた複数の係止部１３のいずれかに係止させることにより、背もたれ部２０を基体１０で
ある枠部材１１に対して傾斜させた状態で支持する機構となっている。
【００３４】
背もたれ部２０は、使用者の背部（腰から肩まで）を支える背部支持部２１と、使用者
の頭部を支える頭部支持部２２とで構成されており、頭部支持部２２が、背部支持部２１
に対して着脱、及び高さ調整可能に取り付けられている。頭部支持部２２の高さ調整機構
としては、例えば、車両座席のヘッドレストのような機構を採用することができ、頭部支
持部２２の底面側に高さ調整軸２３（図２参照）を突設し、頭部支持部２２の底面と向か
い合う背部支持部２１の上面に、高さ調整軸２３を所定の高さ位置に固定する軸受け部２
４を設けた構成となっている。
【００３５】
また、背部支持部２１の身体支持面２１ａにおける所定箇所には、身体の特定部位に対
する圧迫を抑止するための圧迫抑止部２５が形成されている。本実施の形態では、背もた
れ部２０の圧迫抑止部２５が、背もたれ部２０の身体支持面２１ａの一部、すなわち身体
の背骨部分が当接する領域２５ａと、腰骨部分が当接する領域２５ｂとを陥没させた形態
で形成されており、これら領域が連結された１つの凹部２５ｃとして形成されている。な
お、背部支持部２１の身体支持面２１ａ、及び頭部支持部２２の頭部支持面２２ａは、カ
バー部材で覆われており、その内側には、綿などが詰め込まれてクッション性が持たせて
ある。
【００３６】
身体倒れ防止枠４０は、背もたれ部２０の両側部にそれぞれ配置され、２本の脚部を備
えた略コの字形状をした１組の側枠部材４１、４２と、１組の側枠部材４１、４２が折畳
み可能に連結されたテーブル兼用の板部材４３とを含んで構成されており、各側枠部材４
１、４２の一方の脚部４１ａ、４２ａの下端部が、枠部材１１の両側辺に形成された孔１
４に嵌込まれる構成となっている。また、板部材４３には、円形のカップホルダー４３ａ
が形成されている。
【００３７】
なお、この場合、側枠部材４１、４２として、２本の脚部を備えた略コの字形状のもの
が使用されているが、側枠部材４１、４２の形状は、略コの字形状に限定されるものでは
なく、例えば、略半だ円形状をしたもの、一方側（例えば脚部４１ａ、４２ａ側）のみ円
弧形状をしたもの、又は板状部材など、様々な形状や形態をしたものを適用することがで
きる。
【００３８】
図４は、背もたれ器具１を構成する身体倒れ防止枠４０を模式的に示した底面図であり
、身体倒れ防止枠４０は、枠部材１１の幅を設けて略並行に配設された１組の側枠部材４
１、４２の脚部が、内側に向けて折畳めるように、それぞれ連結部材４４を介してテーブ
ル兼用の板部材４３と連結されている。ここでは、連結部材４４として、開閉式の丁番が
採用されている。
【００３９】
なお、基体１０を構成する枠部材１１、背もたれ支持機構３０を構成する背もたれ支持
枠３１、身体倒れ防止枠４０を構成する材料は、木材、アルミなどの軽量金属、これらを
部分的に組み合わせて使用するなど、特に限定されるものではないが、病人や寝たきり老
人などの被介護者用としては、温かみのある木材を多く使用することが好ましい。
【００４０】
図５は、実施の形態に係る背もたれ器具１を、折畳んだ状態を示しており、枠部材１１
から身体倒れ防止枠４０を取り外し、背もたれ支持枠３１を上に回動させて、背もたれ部
２０の背面と、枠部材１１の上面とが、略重なるように折畳むことが可能となっており、
未使用時における収納性にも優れた形態となっている。
【００４１】
上記実施の形態に係る背もたれ器具１によれば、床面上に設置される基体１０と、基体
１０の前方部において連結部材１５を介して起倒自在に連結された背もたれ部２０と、背
もたれ部２０を基体１０に対して傾斜させた状態で支持するための背もたれ支持機構３０
とを備えているので、ベッドや敷布団の上などに横臥している人の上半身だけを起こして
、背中に、背もたれ部２０をあてて配置するだけで、安価な構成でリクライニング機能を
提供することができ、また、基体１０と背もたれ部２０とが起倒自在に連結されているの
で、コンパクトに折畳むことができ、収納性にも優れている。
【００４２】
また、背もたれ部２０の身体支持面（より具体的には背部支持部２１の背部支持面２１
ａ）における所定箇所に、身体の特定部位に対する圧迫を抑止するための圧迫抑止部２５
が形成されているので、例えば、自力で動くことが難しい体の不自由な被介護者などに利
用した場合、圧迫抑止部２５により、背もたれ部２０の身体支持面と、横臥させた状態の
身体の特定部位との接触による圧迫を抑止することができ、身体の特定部位における床ず
れの発生を防止することができ、また、既に発生している床ずれ症状を改善する効果も得
ることができる。したがって、長時間使用した場合であっても、床ずれ対策として従来か
ら行われている被介護者の体の向きを頻繁に変えるといった作業の頻度を大幅に減らすこ
とができ、介護者の労力負担を大幅に軽減することができる。
【００４３】
また、背もたれ部２０の圧迫抑止部２５が、身体の背骨部分が当接する領域２５ａ、及
び腰骨部分が当接する領域２５ｂに、背もたれ部２０の身体支持面を陥没させた形態（凹
部２５ｃ）で形成されているので、使用者が背もたれ部２０にもたれかかった状態であっ
ても、背もたれ部２０と、床ずれの好発部位である身体の背骨部分、及び腰骨部分との接
触を防止することができ、背骨や腰骨部分の圧迫をなくすことにより、床ずれの発生防止
や症状改善の効果を一層高めることができる。
【００４４】
また、基体１０が、略矩形形状をした枠部材１１で構成され、枠部材１１の前方側一辺
と、背もたれ部２０の底辺部とが、連結部材１５を介して起倒自在に連結されているので
、器具の軽量化を図ることができる。
【００４５】
また、背もたれ部２０の身体支持面前方を囲うとともに、枠部材１１に着脱可能に構成
された身体倒れ防止枠４０を備え、身体倒れ防止枠４０が、２本の脚部を備えた略コの字
形状をした１組の側枠部材１１と、１組の側枠部材４１、４２が折畳可能に連結されたテ
ーブル兼用の板部材４３とを含んで構成されているので、１組の側枠部材４１、４２によ
り、背もたれ部２０から使用者が横に倒れることを防止することができ、また、テーブル
兼用の板部材４３により、使用者が前に倒れること防止する効果を高めることができ、特
に、体の不自由な被介護者に対して使用する際の安全性を高めることができる。
【００４６】
また、各側枠部材４１、４２の一方の脚部４１ａ、４２ａの下端部が、枠部材１１の両
側辺に形成された孔１４に嵌込まれるように構成されているので、簡単かつ確実に身体倒
れ防止枠４０を枠部材１１に取り付けることができ、また、板部材４３をテーブルとして
利用することもできる。一方、必要がない時は、身体倒れ防止枠４０を外して使用するこ
ともでき、身体倒れ防止枠４０は、１組の側枠部材１１が、テーブル兼用の板部材４３に
対して折畳める構成となっているので、かさばることなく収納することもでき、使い勝手
に優れている。
【００４７】
また、枠部材１１における床面との当接面に滑り止め部材１２が配設されているので、
使用者が背もたれ部２０にもたれかかった場合に、器具が後方に滑ることを防止すること
ができ、使用時の位置安定性を高めることができる。
【００４８】
また、背もたれ部２０が、使用者の背部までを支える背部支持部２１と、使用者の頭部
を支える頭部支持部２２とで構成され、頭部支持部２２が、背部支持部２１に対して着脱
、及び高さ調整可能に取り付けられているので、頭部を自力で支えることが難しい被介護
者が利用する場合であっても、被介護者の頭部までしっかりと安定した状態で支持するこ
とができる。また、リクライニングさせた状態で頭部を支持することができ、使用者の快
適度を高めることができる。また、頭部支持部２２の必要がないときは、部支持部２２を
外して使用することもでき、使い勝手に優れたものとなっている。
【００４９】
なお、実施の形態に係る背もたれ器具１では、背もたれ部２０の圧迫抑止部２５が、身
体の背骨部分が当接する領域２５ａ、腰骨部分が当接する領域２５ｂに形成されている場
合について説明したが、さらに肩甲骨部分が当接する領域にも凹部を形成してもよく、身
体の背骨部分、肩甲骨部分、及び腰骨部分が当接する領域のうちの少なくともいずれかの
部分に形成されていればよい。
【００５０】
また、上記実施の形態に係る背もたれ器具１では、背もたれ部２０の圧迫抑止部２５が
、背もたれ部２０の身体支持面を陥没させた形態（凹部２５ｃ）で形成されているが、別
の実施の形態では、背もたれ部２０の圧迫抑止部２５をくり抜いた形態（空洞）で形成し
てもよく、あるいは、陥没させた凹部に、圧迫のない柔らかいスポンジなどのクッション
材を埋め込んだ構成（見た目は平らであるけれども、圧迫抑止部２５の部分は、非常に柔
らかな構成）としてもよい。
【００５１】
また、上記実施の形態に係る背もたれ器具１では、背もたれ部２０が、背部支持部２１
と頭部支持部２２との別体で構成されていたが、別の実施の形態では、背部支持部２１と
頭部支持部２２とが一体で構成されていてもよい。
【００５２】
また、上記実施の形態に係る背もたれ器具１では、背もたれ部２０が、基体１０である
枠部材１１に対して丁番（連結部材１５）を介して連結されている場合について説明した
が、別の実施形態では、背もたれ部２０が、基体１０である枠部材１１に対して着脱可能
に連結された構成（例えば、着脱可能な連結部材で連結するなど）としてもよく、係る構
成によれば、背もたれ部２０を、基体１０である枠部材１０から取り外すことができ、枠
部材１１から取り外した背もたれ部２０を、例えば、リクライニングさせたベッドなどの
上に載せた状態で利用することができ、背もたれ部２０の圧迫抑止部２５が備えている床
ずれ発生防止・症状改善機能をリクライニングベッドなどでも手軽に実現させることがで
き、様々な使用方法に適用することができる。
【００５３】
また、別の実施の形態では、図６に示したように頭部支持部２２Ａに、テレビやラジオ
などの音響映像装置（図示せず）からの音声を出力するための音声出力手段として、小型
スピーカ装置２６を設ける構成とすることもできる。
【００５４】
係る構成によれば、頭部支持部２２Ａに小型スピーカ装置２６が設けられているので、
小型スピーカ装置２６の音声入力端子（図示せず）を、音響映像装置の音声出力端子に接
続することにより、聴力が低下した人であっても、耳元付近に設けられた小型スピーカ装
置２６から出力される音声により、音響映像装置からの音声をよく聞き取ることができ、
音響映像装置本体の音量を大音量とせずに、すなわち、周囲の人にも迷惑をかけることな
く、快適に音響映像を楽しむことができる。
【００５５】
また、図７に示したように背部支持部２１Ａの内部に、使用者の背部を暖めるための加
熱手段、例えば電気毛布などに採用されている電熱線式のヒーター２７を背部支持部２１
Ａの内部に配設した構成としてもよく、係る構成によれば、寒い時期でも快適に使用する
ことができる。
【００５６】
また、上記実施の形態に係る背もたれ器具１では、基体１０となる枠部材１１に係止部
１３を複数設けて、背もたれ支持枠３１の係止位置を変えることで、背もたれ部２０の傾
き角度を調整するようになっているが、別の実施の形態では、枠部材１１に係止部１３を
複数設けるのではなく、背もたれ支持枠の左右の側枠に伸縮機能を持たせて、側枠の長さ
を調整することにより、背もたれ部２０の傾き角度を調整する構成としてもよい。例えば
、背もたれ支持枠の伸縮機能の構成としては、背もたれ支持枠の側枠を、内径の異なる２
本以上の筒部材から構成し、これら筒部材の出し入れにより長さを調整し、固定具（かん
ぬき等）により位置固定できる構成を採用することができる。
【００５７】
また、身体倒れ防止枠４０の側枠部材４１、４２の脚部に伸縮機能を持たせて、使用者
の体格に合わせて、板部材４３の高さ位置を調整する機能を持たせることもできる。
【図面の簡単な説明】
【００５８】
【図１】本考案の実施の形態に係る背もたれ器具を模式的に示した正面側斜視図である。
【図２】実施の形態に係る背もたれ器具を模式的に示した正面斜視図である。
【図３】実施の形態に係る背もたれ器具を模式的に示した背面斜視図である。
【図４】実施の形態に係る背もたれ器具を構成する身体倒れ防止枠を模式的に示した底面図である。
【図５】実施の形態に係る背もたれ器具を折畳んだ状態を模式的に示した斜視図である。
【図６】別の実施の形態に係る背もたれ器具を模式的に示した正面斜視図である。
【図７】従来の背もたれ器具を模式的に示した斜視図である。
【図８】従来の背もたれ器具の利用状態を模式的に示した側面図である。
【符号の説明】
【００５９】
１、１Ａ  背もたれ器具
１０  基体
１１  枠部材
２０、２０Ａ  背もたれ部
２１、２１Ａ  背部支持部
２２、２２Ａ  頭部支持部
３０  背もたれ支持機構
３１  背もたれ支持枠
４０  身体倒れ防止枠
【図１】
0003134689.tif 000003
【図２】
0003134689.tif 000004
【図３】
0003134689.tif 000005
【図４】
0003134689.tif 000006
【図５】
0003134689.tif 000007
【図６】
0003134689.tif 000008
【図７】
0003134689.tif 000009
【図８】
0003134689.tif 000010